(57)【要約】      （修正有）【課題】動的な広告を手軽に表示させることが可能なティッシュボックス用のカバーを提供する。【解決手段】ティッシュボックスを覆うティッシュボックス用のカバー１０であって、ティッシュボックスの天面に対向すると共に、当該ティッシュボックスからティッシュを取り出すための取出口１７を備える天面部１１と、ティッシュボックスの側面に対向すると共に、内部を視認可能な表示窓２０を備える外周側面部１３〜１６と、を具備する。天面部１１および外周側面部１３〜１６で囲まれる内部空間Ｐであってティッシュボックスの側面と外周側面部１３〜１６の間には、情報表示端末を配置させることが可能である。表示窓２０は、情報表示端末の表示画面を視認可能としている。【選択図】図１
0003190471.tif 000002
【実用新案登録請求の範囲】
【請求項１】
ティッシュボックスを覆うティッシュボックス用のカバーであって、
前記ティッシュボックスの天面に対向すると共に、当該ティッシュボックスからティッシュを取り出すための取出口を備える天面部と、
前記ティッシュボックスの側面に対向すると共に、内部を視認可能な表示窓を備える外周側面部と、
を具備し、
前記天面部および前記外周側面部で囲まれる内部空間であって前記ティッシュボックスの側面と前記外周側面部の間には、情報表示端末を配置させることが可能であり、
前記表示窓は、前記情報表示端末の表示画面を視認可能としている、
ことを特徴とするティッシュボックス用のカバー。
【請求項２】
請求項１記載のティッシュボックス用のカバーであって、
当該カバーのいずれかの部位には、前記情報表示端末のカメラ装置で読み取ることが可能な識別情報部が設けられていて、
前記識別情報部は、ＵＲＬ（Uniform Resource Locator）を表す、
ことを特徴とするティッシュボックス用のカバー。
【請求項３】
請求項２記載のティッシュボックス用のカバーであって、
前記識別情報部は、ＱＲコード（登録商標）をカラーで表したものであり、
前記カバーにおいて重畳される部分のデザインと同様の着色、もしくはカメラ装置でデコード可能となる範囲内のコントラストを有するように着色がなされている、
ことを特徴とするティッシュボックス用のカバー。
【請求項４】
請求項１から３のいずれか１項に記載のティッシュボックス用のカバーであって、
前記内部空間には、前記ティッシュボックスが前記内部空間に存在しない場合でも、前記情報表示端末が倒れるのを防止し、かつ外周側面部と対向配置される支持壁部が設けられている、
ことを特徴とするティッシュボックス用のカバー。
【考案の詳細な説明】
【技術分野】
【０００１】
本考案は、ティッシュボックスを覆うティッシュボックス用のカバーに関する。
【背景技術】
【０００２】
ティッシュボックスは、一般に、そのままカバーを被せないで利用される場合もあるが、布製やプラスチック製のカバーを被せて利用されることも多い。このようなティッシュボックス用のカバーには、たとえば特許文献１に開示のものがある。特許文献１には、カバー本体の側面に、ＰＯＰ表示欄が設けられていて、そのＰＯＰ表示欄を利用して、宣伝広告効果を発揮させるものとしている。
【先行技術文献】
【特許文献】
【０００３】
【特許文献１】実用新案登録第３１３８３５４号公報
【考案の概要】
【考案が解決しようとする課題】
【０００４】
ところで、特許文献１に開示のティッシュボックス用のカバーでは、印刷する等の手法によって、ＰＯＰ表示欄に広告が設けられている。しかしながら、その場合には、ＰＯＰ表示欄に固定的な広告が表示されるのみである。そのため、広告に変化を持たせることはできない。
【０００５】
本考案は上記の事情にもとづきなされたもので、その目的とするところは、動的な広告を手軽に表示させることが可能なティッシュボックス用のカバーを提供しよう、とするものである。
【課題を解決するための手段】
【０００６】
上記課題を解決するために、本考案の第１の観点によると、ティッシュボックスを覆うティッシュボックス用のカバーであって、ティッシュボックスの天面に対向すると共に、当該ティッシュボックスからティッシュを取り出すための取出口を備える天面部と、ティッシュボックスの側面に対向すると共に、内部を視認可能な表示窓を備える外周側面部と、を具備し、天面部および外周側面部で囲まれる内部空間であってティッシュボックスの側面と外周側面部の間には、情報表示端末を配置させることが可能であり、表示窓は、情報表示端末の表示画面を視認可能としている、ことを特徴とするティッシュボックス用のカバーが提供される。
【０００７】
また、本考案の他の側面は、上述の考案において、当該カバーのいずれかの部位には、情報表示端末のカメラ装置で読み取ることが可能な識別情報部が設けられていて、識別情報部は、ＵＲＬ（Uniform Resource Locator）を表す、ことが好ましい。
【０００８】
さらに、本考案の他の側面は、上述の考案において、識別情報部は、ＱＲコード（登録商標）をカラーで表したものであり、カバーにおいて重畳される部分のデザインと同様の着色、もしくはカメラ装置でデコード可能となる範囲内のコントラストを有するように着色がなされている、ことが好ましい。
【０００９】
また、本考案の他の側面は、上述の考案において、内部空間には、ティッシュボックスが内部空間に存在しない場合でも、情報表示端末が倒れるのを防止し、かつ外周側面部と対向配置される支持壁部が設けられている、ことが好ましい。
【考案の効果】
【００１０】
本考案によると、ティッシュボックス用のカバーにおいて、動的な広告を手軽に表示させることが可能となる。
【図面の簡単な説明】
【００１１】
【図１】本考案の一実施の形態に係るティッシュボックス用のボックス用カバーを示す斜視図である。
【図２】図１のボックス用カバーの内部空間に配置されるティッシュボックスと情報表示端末とを示す斜視図である。
【図３】図１のボックス用カバーの内部空間に、ティッシュボックスと情報表示端末とを配置した状態を示す斜視図である。
【図４】ボックス用カバーの別の構成例を底面部側から見た示す斜視図であり、底面部を省略した状態を示している。
【考案を実施するための形態】
【００１２】
以下、本考案の一実施の形態に係る、ティッシュボックス用のカバー１０（以下、ボックス用カバーとする）について、図面に基づいて説明する。
【００１３】
＜ボックス用カバー１０の構成について＞
図１は、ボックス用カバー１０の構成を示す斜視図である。ボックス用カバー１０は、たとえば板紙のように、箱状を維持可能な強度を有する素材から形成されている。なお、板紙からボックス用カバー１０が形成される場合には、環境負荷を低くできる、というメリットがある。しかしながら、ボックス用カバー１０は、たとえば樹脂等のような板紙以外の素材から形成されていても良い。
【００１４】
図１に示すように、ボックス用カバー１０は、箱型形状に設けられていて、天面部１１、底面部１２、外周側面部１３〜１６を有している。外周側面部１３〜１６には、ボックス用カバー１０の長手方向を長手とする長手側面部１３，１４と、ボックス用カバー１０の短手方向を長手とする短手側面部１５，１６とが設けられている。なお、ボックス用カバー１０は、必ずしも６面を有する構成には限られない。たとえば底面部１２を有しない構成を採用しても良く、２つの短手側面部１５，１６のうちの少なくとも１つを有しない構成を採用しても良い。
【００１５】
図２は、内部空間Ｐに配置されるティッシュボックス１と情報表示端末２とを示す斜視図である。また、図３は、ボックス用カバー１０の内部空間Ｐに、ティッシュボックス１と情報表示端末２とを配置した状態を示す斜視図である。図３に示すように、ボックス用カバー１０の内部空間Ｐには、図２に示すようなティッシュボックス１が配置される。そのため、ボックス用カバー１０の天面部１１には、内部空間Ｐに配置されたティッシュボックス１から引き出されたティッシュを取り出すための取出口１７が設けられている。
【００１６】
ここで、内部空間Ｐには、ティッシュボックス１以外に、スマートフォンやタブレット端末といった情報表示端末２も配置される。かかる情報表示端末２が配置される位置は、図３に示すように、ティッシュボックス１と長手側面部１３の間となっている。すなわち、情報表示端末２は、ティッシュボックス１と長手側面部１３との間で挟持された状態で配置されている。
【００１７】
ここでいう挟持には、ティッシュボックス１と長手側面部１３との両方に接触して情報表示端末２に圧力が負荷される状態であっても良いが、情報表示端末２とこれらの間に若干の隙間が存在する状態であっても良い。すなわち、ティッシュボックス１が内部空間Ｐに存在する場合に情報表示端末２が内部空間Ｐ内で倒れなければ、どのように配置されていても良い。
【００１８】
また、長手側面部１３には、表示窓２０が設けられている。表示窓２０は、長手側面部１３を切り欠くことにより構成されている。この表示窓２０からは、内部空間Ｐに配置された情報表示端末２の表示画面２ａを視認するための部分である。また、表示窓２０は、タッチパネル式の表示画面２ａに触れて操作したり、操作ボタン２ｂを押し込んで操作するための部分でもある。なお、図１では、長手側面部１３のみに表示窓２０が設けられた構成が示されている。しかしながら、表示窓２０は、長手側面部１４に設ける構成としても良く、長手側面部１３と長手側面部１４の両方に設ける構成としても良い。
【００１９】
ところで、図１に示すようなボックス用カバー１０の構成においては、ティッシュボックス１が内部空間Ｐに存在しない場合、情報表示端末２が内部空間Ｐの内部で倒れてしまう虞がある。このような情報表示端末２が倒れてしまう場合に対応させた構成が図４に示すものである。図４は、ボックス用カバー１０の別の構成例を示す斜視図であるが、底面部１２を省略した状態を図示したものである。
【００２０】
図２に示す構成では、ボックス用カバー１０は、長手側面部１３とは別途に、支持壁部１８を設ける構成を採用している。支持壁部１８は、長手側面部１４よりも長手側面部１３に近接して対向する状態に設けられていて、この支持壁部１８と長手側面部１３との間に、情報表示端末２を挟み込む。それにより、ティッシュボックス１が存在しない場合でも、情報表示端末２が内部空間Ｐの中央側に向かい倒れるのを防止する。なお、情報表示端末２が倒れるのを防止するために、支持壁部１８は、長手側面部１３に対して近接した状態で対向している。なお、支持壁部１８は、長手側面部１３以外に、長手側面部１４と近接して対向する状態に設けられていても良く、長手側面部１３と長手側面部１４の両方に近接して対向する状態に設けられていても良い。
【００２１】
ここで、ボックス用カバー１０のいずれかの部位には、ＱＲコード（登録商標）やバーコード等のような識別情報部３０が設けられている。情報表示端末２が備えるカメラ装置を作動させて、識別情報部３０を読み取らせると、その識別情報部３０が示す情報を情報表示端末２が認識することができる。たとえば、識別情報部３０がＵＲＬ（Uniform Resource Locator）を表す場合には、情報表示端末２がネットワークを介して情報を受信することにより、そのＵＲＬが指し示す情報を表示させることができる。そのような情報としては、たとえば、広告宣伝用の動画、静止画等といったコンテンツが挙げられる。
【００２２】
なお、識別情報部３０は、ボックス用カバー１０に設ける構成には限られない。たとえば、ティッシュボックス１に識別情報部３０を設ける構成とすることも可能である。
【００２３】
また、上述のボックス用カバー１０に設けられた識別情報部３０は、通常のＱＲコード（登録商標）として説明したが、ＱＲコード（登録商標）をカラーで表したもの（以下、「カラーＱＲコード」という）とすると共に、このカラーＱＲコードを、ボックス用カバー１０の表面に施されている何らかのデザインと重畳される部分のデザインと同様の着色、もしくはカメラ装置で読み取った情報をデコード可能となる範囲内のコントラストを有するように着色がなされているものであってもよい。
【００２４】
あるいは、カラーＱＲコードの複数のセル部分、または複数のセル以外の部分のいずれかを透過させることにより、ボックス用カバー１０の表面に施されているデザインの画像データの色を透過するように調整するようにしてもよい。これらのいずれの方法であっても、通常のＱＲコードのように、背景となるデザイン画像と重畳させた場合にＱＲコードの周囲を覆う白い部分が目立ってしまうなどのデメリットが解消されると共に、ボックス用カバー１０表面のデザインを大きく損ねることが軽減される。
【００２５】
なお、識別情報部４０は、上述のＱＲコード以外の二次元コード（たとえばＤａｔａ Ｍａｔｒｉｘ、ＰＤＦ４１７など）や１次元のバーコード等の自動認識シンボル、電子透かしやＩＣタグなどを用いてもよい。識別情報部４０を電子透かしで構成する場合には、物品の表面にデザインされるデジタルデータに識別情報を埋め込むことで実現することができる。なお、ここでいう電子透かしは、人間が知覚できるタイプと知覚できないタイプのいずれであってもよい。
【００２６】
＜動作（使用方法）について＞
以上のような構成のボックス用カバー１０を用いる場合、先ず、ユーザは、識別情報部３０を、情報表示端末２のカメラ装置で読み取らせる。すると、情報表示端末２は、その識別情報部３０が示す情報を表示する状態となる。上記のように、識別情報部３０が広告宣伝のウェブサイトを表示させるためのＵＲＬを表す場合には、情報表示端末２がネットワークを介してそのＵＲＬに対応したウェブサイトに関する情報を取得することにより、表示画面２ａに、対応する情報を表示させることができる。たとえば、広告宣伝用の動画や静止画といったコンテンツを表示させることができる。
【００２７】
そのような識別情報部３０を読み取るのに前後して、ユーザは、ティッシュボックス１を内部空間Ｐに配置する。その後に、ティッシュボックス１と長手側面部１３との間に情報表示端末２を配置する。そして、情報表示端末２は、内部空間Ｐの中央に向かって倒れるのが阻止された状態となる。また、情報表示端末２の表示画面２ａは、表示窓２０を介して視認可能となる。
【００２８】
以後は、その表示窓２０を介して、タッチパネル式の表示画面２ａに触れて操作したり、操作ボタン２ｂを押し込んで操作することが可能となる。
【００２９】
＜効果について＞
以上のような構成のボックス用カバー１０によると、長手側面部１３には、表示窓２０が設けられている。また、内部空間Ｐには、ティッシュボックス１を配置することが可能であると共に、そのティッシュボックス１と長手側面部１３の間には、情報表示端末２を配置させることが可能であり、長手側面部１３の表示窓２０を介して、情報表示端末２の表示画面２ａを視認することができる。そのため、ボックス用カバー１０を用いる場合、情報表示端末２を利用して、広告宣伝用の動画や静止画といったコンテンツを視認することが可能となる。そのため、従来のような、ＰＯＰ表示欄に固定的な広告を印刷等する場合と比較して、ユーザは、視認対象が変化する動的な広告を手軽に視認することが可能となる。
【００３０】
また、ユーザは、ボックス用カバー１０を情報表示端末２のスタンド代わりに利用することが可能となる。そのため、部屋に置かれたティッシュボックス１を覆うボックス用カバー１０を用いて、情報表示端末２で表示される種々の情報を視認することができる。また、ユーザは、ボックス用カバー１０を用いて、たとえばフォトフレーム的に、情報表示端末２を利用することも可能となる。
【００３１】
また、本実施の形態では、ボックス用カバー１０には、識別情報部３０が設けられている。しかも、この識別情報部３０は、ＵＲＬ（Uniform Resource Locator）を表すことが可能である。このため、識別情報部３０を情報表示端末２のカメラ装置で読み取らせることにより、その識別情報部３０が示す情報を情報表示端末２で認識させることができる。そして、情報表示端末２がネットワークを介して情報を受信することにより、そのＵＲＬが指し示す情報を表示させることができる。そのため、その識別情報部３０が広告宣伝用の動画や静止画といったコンテンツに関するＵＲＬを表す場合には、情報表示端末２のカメラ装置で識別情報部３０を読み取らせるだけで、広告宣伝用の動画や静止画を、ユーザに視認させることができる。
【００３２】
それにより、ユーザに対する、広告宣伝効果を高めることが可能となる。
【００３３】
さらに、本実施の形態では、図４に示すように、ボックス用カバー１０には、支持壁部１８を設けるように構成することもできる。この場合、ティッシュボックス１が内部空間Ｐに存在しない状態でも、情報表示端末２が内部空間Ｐの中心側に向かって倒れるのを防止可能となる。それにより、ボックス用カバー１０の利便性を一層向上させることが可能となる。
【００３４】
＜変形例＞
以上、本考案の各実施の形態について説明したが、本考案はこれ以外にも種々変形可能となっている。以下、それについて述べる。
【００３５】
上述の実施の形態では、表示窓２０は、外周側面部としての長手側面部１３，１４に設けられる場合について説明している。しかしながら、表示窓２０は、外周側面部としての短手側面部１５，１６に設けられる構成を採用しても良い。
【００３６】
また、上述の実施の形態においては、情報表示端末２としてスマートフォンを用いた場合を図示している。しかしながら、情報表示端末２としては、スマートフォンに限定されるものではなく、タブレットＰＣや携帯電話などであってもよい。また、情報表示端末２として、スマートフォンよりも大型のタブレット端末を用いる場合、ボックス用カバー１０の天面部１１や短手側面部１５，１６に、タブレット端末を飛び出させるための孔部分を設けるようにしても良い。
【００３７】
また、ボックス用カバー１０には、情報表示端末２に接続される各種のコード等を挿通させるための孔部分を、別途設けるようにしても良い。たとえば、電源用のコードを孔部分に挿通させる場合には、情報表示端末２の充電を行うことが可能となるので、バッテリの消耗によって広告宣伝用のコンテンツが視認できない、といった不具合を防止可能となる。
【００３８】
また、上述の実施の形態のボックス用カバー１０では、情報表示端末２のスピーカから出力される音を外部に出力させるための、出力孔を設けるようにしても良い。出力孔は、長手側面部１３，１４に設ける構成としても良く、長手側面部１３，１４に設けずに短手側面部１５，１６に設ける構成としても良く、天面部１１に設ける構成としても良い。また、特にボックス用カバー１０に支持壁部１８を設ける場合、音を出力させる通路が内部空間Ｐに形成されている、と見立てることもでき、その場合には、音響的な効果を高めることも可能となる。
【００３９】
また、表示窓２０は、長手側面部１３，１４を切り欠いて構成する場合のみならず、透明フィルム等のような透明部材を貼り付ける等して、形成しても良い。なお、かかる表示窓２０を透明部材から形成する場合には、情報表示端末２に触れての操作が難しくなるので、情報表示端末２に触れて操作することを可能とするために、表示窓２０の一部のみを透明部材で形成するようにしても良い。
【００４０】
また、本考案としては、図に示す箱型形状のティッシュボックス１に限定される訳ではなく、その他の形状（たとえば円柱状、三角柱形状など）であってもよい。また、表示窓２０を設けないで、ティッシュボックス１のような箱型の形状の表面の一部に切り欠き部（不図示）を設けて、その切り欠き部に情報表示装置を嵌め込めるような構成としてもよい。
【符号の説明】
【００４１】
１…ティッシュボックス、２…情報表示端末、２ａ…表示画面、２ｂ…操作ボタン、１０…ボックス用カバー、１１…天面部、１２…底面部、１３，１４…長手側面部、１５，１６…短手側面部、１７…取出口、１８…支持壁部、２０…表示窓、３０…識別情報部
【図１】
0003190471.tif 000003
【図２】
0003190471.tif 000004
【図３】
0003190471.tif 000005
【図４】
0003190471.tif 000006